(57)【要約】【課題】本体内に内鍋が収容された状態で蓋が閉じられているか否かを簡単な構成で確実に検知でき、コストを低減できる電気炊飯器を提供する。【解決手段】被加熱物を収容する内鍋１０と、内鍋１０が収納される炊飯器本体１と，炊飯器本体１の上部に開閉自在に取り付けられ、内鍋１０を覆うように閉じた蓋体２とを備える。炊飯器本体１内に内鍋１０が収納された状態で蓋体２が閉じられているか否かを検知するリードスイッチ２５を蓋体２側に配置する。蓋体２を閉じたときに、内鍋１０に設けられた内鍋把手１１の磁石５０の磁気によりリードスイッチ２５がオンして、炊飯器本体１内に内鍋１０が収納された状態で蓋体２が閉じられていることを検知する。【選択図】図５
2011156023.tif 000002
【特許請求の範囲】
【請求項１】
被加熱物を収容する内鍋と、
上記内鍋が収納される本体と，
上記本体の上部に開閉自在に取り付けられ、上記内鍋を覆うように閉じる蓋と、
上記内鍋の上端側に設けられた被検知部と、
上記蓋に配置され、上記蓋が閉じられたときに上記本体内に収納された上記内鍋の上記被検知部を検知する検知部と
を備えたことを特徴とする電気炊飯器。
【請求項２】
請求項１に記載の電気炊飯器において、
上記検知部は、上記蓋に設けられた磁気センサであり、
上記被検知部は、上記内鍋に設けられた磁石取付部に取り付けられると共に、上記蓋を閉じたときに上記磁気センサにより磁気が検出される磁石であることを特徴とする電気炊飯器。
【請求項３】
請求項２に記載の電気炊飯器において、
上記磁石取付部は、上記内鍋の把手であり、
上記本体に収納された上記内鍋の把手が、上記本体に設けられた位置決め部に嵌合することにより、上記本体内に収納された上記内鍋が上記本体に対して位置決めされて、上記磁石が上記検知部で検知可能になることを特徴とする電気炊飯器。
【請求項４】
請求項１に記載の電気炊飯器において、
上記検知部は、上記蓋に設けられたリミットスイッチであり、
上記被検知部は、上記内鍋に設けられ、上記蓋を閉じたときに上記蓋側の上記リミットスイッチを作動させる作動部材が当接する被当接部であることを特徴とする電気炊飯器。
【請求項５】
請求項１から４までのいずれか１つに記載の電気炊飯器において、
上記本体に収納された上記内鍋を加熱する加熱部と、
上記加熱部を制御して加熱運転を行う制御部と
を備え、
上記制御部は、上記加熱運転時に、上記検知部により上記内鍋の上記被検知部を検知しないとき、上記加熱部による加熱運転を停止することを特徴とする電気炊飯器。
【発明の詳細な説明】
【技術分野】
【０００１】
この発明は、電気炊飯器に関する。
【背景技術】
【０００２】
従来、電気炊飯器としては、蓋の開閉を検知する蓋開閉検知手段と内鍋の有無を検知する内鍋検知手段とを別々に備えたものがある(例えば、特開平８−３１７８５７号公報(特許文献１)参照)。
【０００３】
しかしながら、上記電気炊飯器では、蓋の開閉と内鍋の検知を２つの検知手段を用いて行うので、構成が複雑になりコストが高くなるという問題がある。
【先行技術文献】
【特許文献】
【０００４】
【特許文献１】特開平８−３１７８５７号公報
【発明の概要】
【発明が解決しようとする課題】
【０００５】
そこで、この発明の課題は、本体内に内鍋が収容された状態で蓋が閉じられているか否かを簡単な構成で確実に検知でき、コストを低減できる電気炊飯器を提供することにある。
【課題を解決するための手段】
【０００６】
上記課題を解決するため、この発明の電気炊飯器は、
被加熱物を収容する内鍋と、
上記内鍋が収納される本体と，
上記本体の上部に開閉自在に取り付けられ、上記内鍋を覆うように閉じる蓋と、
上記内鍋の上端側に設けられた被検知部と、
上記蓋に配置され、上記蓋が閉じられたときに上記本体内に収納された上記内鍋の上記被検知部を検知する検知部と
を備えたことを特徴とする。
【０００７】
上記構成によれば、本体の上部に開閉自在に取り付けられた蓋側の検知部によって、蓋が閉じられたときに本体内に収納された内鍋の被検知部を検知する。例えば、蓋に設けられた磁気センサを検知部として用いて、蓋を閉じたときに内鍋側に設けた被検知部の磁石の磁気を磁気センサにより検出する。すなわち、内鍋が本体内に収納されていない状態か、または、蓋が開いている状態の少なくとも一方である場合、磁気センサは内鍋側の磁石の磁気を検出せず、本体内に内鍋が収納された状態で蓋が閉じられていないと検知部は検知し、内鍋が本体に収納された状態で、かつ、蓋が閉じられている状態である場合、磁気センサは内鍋側の磁石の磁気を検出して、本体内に内鍋が収納された状態で蓋が閉じられていると検知部は検知する。これにより、本体内に内鍋が収容された状態で蓋が閉じられているか否かを簡単な構成で確実に検知できる。したがって、少なくとも一対の検知部と被検知部で蓋の開閉と内鍋の有無を検知することができ、構成を簡略化してコストを低減できる。
【０００８】
また、一実施形態の電気炊飯器では、
上記検知部は、上記蓋に設けられた磁気センサであり、
上記被検知部は、上記内鍋に設けられた磁石取付部に取り付けられると共に、上記蓋を閉じたときに上記磁気センサにより磁気が検出される磁石である。
【０００９】
上記実施形態によれば、蓋を閉じたとき、蓋に設けられた磁気センサにより、内鍋に設けられた磁石取付部の磁石の磁気を検出する。これにより、リミットスイッチなどの可動部分を有する検知手段を用いることなく、磁気センサを容易に蓋内に密封でき、熱や蒸気に対して信頼性の高い磁気センサにより確実な検出が可能になる。
【００１０】
また、一実施形態の電気炊飯器では、
上記磁石取付部は、上記内鍋の把手であり、
上記本体に収納された上記内鍋の把手が、上記本体に設けられた位置決め部に嵌合することにより、上記本体内に収納された上記内鍋が上記本体に対して位置決めされて、上記磁石が上記検知部で検知可能になる。
【００１１】
上記実施形態によれば、内鍋の把手を磁石取付部にすることによって、磁石を内鍋に容易に取り付けることができる。また、上記内鍋の把手が本体に設けられた位置決め部に嵌合することにより、本体内に収納された内鍋が本体に対して位置決めされて、磁石が検知部で検知可能になるので、内鍋側の磁石取付部と蓋側の磁気センサとの位置合わせを確実に行うことができる。
【００１２】
また、一実施形態の電気炊飯器では、
上記検知部は、上記蓋に設けられたリミットスイッチであり、
上記被検知部は、上記内鍋に設けられ、上記蓋を閉じたときに上記蓋側の上記リミットスイッチを作動させる作動部材が当接する被当接部である。
【００１３】
上記実施形態によれば、蓋を閉じたとき、蓋に設けられたリミットスイッチを作動させる作動部材が内鍋に設けられた被当接部に当接して、リミットスイッチがオン(またはオフ)する。一方、蓋を閉じていないとき、または、内鍋が本体内に収納されていないとき、リミットスイッチはオン(またはオフ)しない。これにより、内鍋に被当接部を簡単に設けることができ、簡単な構成で本体内に内鍋が収納された状態で蓋が閉じられているか否かを検知することができる。
【００１４】
また、一実施形態の電気炊飯器では、
上記本体に収納された上記内鍋を加熱する加熱部と、
上記加熱部を制御して加熱運転を行う制御部と
を備え、
上記制御部は、上記加熱運転時に、上記検知部により上記内鍋の上記被検知部を検知しないとき、上記加熱部による加熱運転を停止する。
【００１５】
上記実施形態によれば、加熱運転時に、検知部により内鍋の被検知部を検知しないとき、加熱部による加熱運転を停止するので、蓋が開いた状態での加熱運転や内鍋なしの空焚き運転を確実に防止できる。
【発明の効果】
【００１６】
以上より明らかなように、この発明の電気炊飯器によれば、本体内に内鍋が収容された状態で蓋が閉じられているか否かを簡単な構成で確実に検知でき、コストを低減できる電気炊飯器を実現することができる。
【図面の簡単な説明】
【００１７】
【図１】図１はこの発明の実施の一形態の電気炊飯器の斜視図である。
【図２】図２は上記電気炊飯器の蓋体を開いた状態の斜視図である。
【図３】図３は図１のIII−III線から見た電気炊飯器の縦断面図である。
【図４】図４は図１のIV−IV線から見た電気炊飯器の縦断面図である。
【図５】図５は図４に示す要部Ａの拡大断面図である。
【図６】図６は上記電気炊飯器の制御ブロック図である。
【発明を実施するための形態】
【００１８】
以下、この発明の電気炊飯器を図示の実施の形態により詳細に説明する。
【００１９】
図１はこの発明の実施の一形態の電気炊飯器を斜め上方から見た斜視図を示している。
【００２０】
この実施の一形態の電気炊飯器は、図１に示すように、炊飯器本体１と、炊飯器本体１に開閉自在に取り付けられた蓋体２とを備えている。炊飯器本体１は、前面側に設けられた表示操作部３と、前面側かつ上側に設けられたフックボタン４と、後面側に回動自在に取り付けられた本体ハンドル５と、後面側かつ下側に接続された電源コード６とを有する。また、蓋体２の後面側に蒸気口２aを設けている。表示操作部３は、液晶ディスプレイと複数の操作ボタンにより構成され、調理メニューや調理状況などの表示とボタン操作が可能である。蓋体２は、炊飯器本体１に設けられたラッチ機構(図示せず)により係脱可能に係止された状態で閉じられており、フックボタン４を押すことによりラッチ機構が外れて、スプリング２６(図３に示す)の付勢力で蓋体２が開く。
【００２１】
また、図２は上記電気炊飯器の蓋体２を開いた状態の斜視図を示しており、図１と同一の構成部には同一参照番号を付している。
【００２２】
この電気炊飯器は、図２に示すように、炊飯器本体１の上側かつ後面側に設けられたヒンジ軸２０(図３に示す)を介して蓋体２を上下方向に回動自在に支持している。この蓋体２は、外蓋２１と内蓋２２とを有する。また、炊飯器本体１内に被加熱物を収容する内鍋１０を収納している。
【００２３】
上記内鍋１０の上側開口の縁に環状のフランジ部１０aを設けている。その内鍋１０のフランジ部１０aの半径方向に対向する位置に、磁石取付部の一例としての耐熱樹脂製の内鍋把手１１,１１を取り付けている。炊飯器本体１の上面の左右２箇所に、位置決め部の一例としての凹部１２a(図２では右側のみを示す)を設けて、この２つの凹部１２aに内鍋１０の内鍋把手１１,１１が夫々嵌合する。これにより、炊飯器本体１に収納された内鍋１０が炊飯器本体１に対して位置決めされる。
【００２４】
図３は図１のIII−III線から見た電気炊飯器の縦断面図を示しており、図３に示すように、炊飯器本体１は、外ケース１２と、その外ケース１２内に配置され、内鍋１０を収納する内ケース１３とを有する。内ケース１３は、耐熱性と電気絶縁性を有する材料で形成されている。
【００２５】
上記外ケース１２と内ケース１３との間の空間の後面側(図３の右側)に、電源回路やインバータ回路などを含む電源部１４を配置し、電源部１４の下側に電源部１４などを冷却する冷却ファン１５を配置している。さらに、冷却ファン１５の下側かつ外ケース１２の底部に、電源コード６を巻き取るコードリール７を配置している。
【００２６】
また、内鍋１０の底部に、内側に突出する円筒形状の凸部１０bを設けている。この内鍋１０の凸部１０bに円板形状の攪拌翼４０を回転自在に嵌合している。この攪拌翼４０は、環状のヨーク４１と、そのヨーク４１の内側に周方向かつ等間隔に配列された複数の磁石４２とを有する。この内鍋１０の凸部１０bに対向する内ケース１３の領域に開口部１３aを設けている。そして、内鍋１０の凸部１０bの下側かつ凸部１０bの内周側に、複数の磁石１８が周方向かつ等間隔に配置されたロータ１６を配置し、このロータ１６の軸部１６aに回転軸１７aが連結された攪拌モータ１７を内鍋１０の底部の下側に配置している。そして、ロータ１６と攪拌翼４０は、夫々の磁石１８,４２によりラジアル型の磁気カップリングにより連結され、攪拌モータ１７により駆動されたロータ１６が回転することにより、磁気カップリングを介して攪拌翼４０が回転する。
【００２７】
また、外ケース１２と内ケース１３との間の空間の前面側(図３の左側)に、表示操作部３(図１,図２に示す)と電源部１４のインバータ回路と冷却ファン１５および攪拌モータ１７などを制御する制御部３０を配置している。
【００２８】
また、炊飯器本体１内の内ケース１３の下側かつ外側に、内鍋１０を誘導加熱するための誘導コイル３１を配置している。この誘導コイル３１は、耐熱性を有する樹脂などにより内ケース１３の外面に接着されている。また、誘導コイル３１の下側には、誘導コイル３１の漏れ磁束を防止するフェライト部材３８を配置している。さらに、炊飯器本体１内の内ケース１３の上側の側面を囲むように横ヒータ３２を周方向に沿って配置している。また、内ケース１３の下側に内ケース１３を貫通する底温度センサ３３を配置している。この底温度センサ３３は、内ケース１３に収納された内鍋１０の底部近傍に先端部が当接して、内鍋１０の温度を検出する。なお、蓋体２内に蓋ヒータ３９(図４に示す)と蓋温度センサ３４(図６に示す)を配置している。
【００２９】
上記誘導コイル３１と横ヒータ３２および蓋ヒータ３９で内鍋１０全体を加熱する加熱部を構成している。
【００３０】
上記内鍋１０は、例えばアルミニウムなどの高熱伝導部材で形成され、その外面に加熱効率を向上させる例えばステンレス等の磁性体を貼り付ける一方、内面に被加熱物の付着を防ぐためのフッ素樹脂をコーティングしている。
【００３１】
一方、上記蓋体２は、炊飯器本体１の上側かつ後面側に設けられたヒンジ軸２０(図３に示す)を介して蓋体２が回動自在に支持された外蓋２１と、その外蓋２１の内鍋１０に対向する側に着脱自在に取り付けられた内蓋２２とを有する。この内蓋２２の外周に環状の耐熱ゴム製のパッキン２３を着脱自在に取り付けている。蓋体２が閉じられたときにパッキン２３は、内鍋１０のフランジ部１０aの上面に密着して、内鍋１０と内蓋２２との間をシールする。また、図３において、２４は内蓋２２に設けられた蒸気穴である。
【００３２】
図４は図１のIV−IV線から見た電気炊飯器の縦断面図を示しており、図４に示すように、炊飯器本体１の外ケース１２の上面の左右２箇所に設けられた凹部１２a,１２aに、内鍋１０の内鍋把手１１,１１が夫々嵌合している。
【００３３】
また、図５は図４に示す要部Ａの拡大断面図を示しており、図４と同一の構成部には同一参照番号を付している。
【００３４】
図５に示すように、内鍋把手１１は、内鍋１０のフランジ部１０aに固定される基部１１aと、その基部１１aから外側に延びる延伸部１１bと、基部１１aと延伸部１１bとの連結部分から上側に延びた後に内側に屈曲して延びる屈曲部１１cとを有する。内鍋把手１１の基部１１aとの屈曲部１１cとの間に形成された溝部に内鍋１０のフランジ部１０aが挟まれている。
【００３５】
そして、内鍋把手１１の樹脂成形時に、内鍋把手１１の屈曲部１１c内に被検知部の一例としての磁石５０を埋め込んでいる。また、この内鍋把手１１の屈曲部１１c内に磁石５０の対向する外蓋２１の位置に、蓋体２を閉じたときに磁石５０の磁気によりオンする磁気センサの一例としてのリードスイッチ２５を取り付けている。
【００３６】
なお、内鍋把手１１,１１のどちらにも磁石５０を埋め込んでいる。これにより、炊飯器本体１内に収納される内鍋１０が１８０°回転して内鍋把手１１,１１の左右が入れ替わっても、炊飯器本体１内に内鍋１０が収納された状態で蓋体２が閉じられていることをリードスイッチ２５により検知できる。また、内鍋把手は２つに限らず、内鍋把手の数は適宜設定してもよいし、内鍋の全周を囲む形状であってもよい。また、内鍋把手の樹脂成形時に磁石を埋め込んだが、成形後の内鍋把手に磁石を嵌め込む構造であってもよい。
【００３７】
図６は上記電気炊飯器の制御ブロック図を示している。上記制御部３０は、マイクロコンピュータと入出力回路などからなり、表示操作部３からの操作信号や、リードスイッチ２５,底温度センサ３３,蓋温度センサ３４からの信号などに基づいて、表示操作部３,攪拌モータ１７,冷却ファン１５,誘導コイル用インバータ回路３５,横ヒータ用回路３６および蓋ヒータ用回路３７を制御する。誘導コイル用インバータ回路３５は、誘導コイル３１に交番磁界を発生させる。
【００３８】
上記誘導コイル用インバータ回路３５,横ヒータ用回路３６,蓋ヒータ用回路３７は、電源部１４(図３に示す)に含まれている。
【００３９】
上記構成の電気炊飯器によれば、適量の米と水を入れた内鍋１０を炊飯器本体１内に収納した後、使用者が表示操作部３を操作して、加熱調理(炊飯)を開始すると、制御部３０は、リードスイッチ２５がオンか否かを判定する。すなわち、炊飯器本体１内に内鍋１０が収納された状態で蓋体２が閉じられているか否かを判定するのである。そして、制御部３０がリードスイッチ２５がオンしていると判定すると、誘導コイル３１,横ヒータ３２,蓋ヒータ３９を制御して加熱調理(炊飯)を開始する。
【００４０】
この加熱調理運転では、制御部３０は、予熱運転モード、立ち上げ運転モード、炊き上げ運転モード、蒸らし運転モード、保温運転モードの順に制御を行う。
【００４１】
〔予熱運転モード〕
まず、予熱運転モードでは、攪拌モータ１７により攪拌翼４０を回転駆動して、内鍋１０内を攪拌しながら、誘導コイル用インバータ回路３５から誘導コイル３１に小電力を供給して、誘導コイル３１により内鍋１０を誘導加熱し、底温度センサ３３により検出された内鍋１０内の温度を６０℃に保つように誘導コイル３１の電力を制御して、予熱運転を所定時間行う。このとき、攪拌翼４０により内鍋１０内を攪拌することにより、内鍋１０内の被加熱物(米と水)を均一な目標温度(６０℃)に保った状態で米に吸水させて、うまみ成分であるグルコースを生成する。
【００４２】
この予熱運転モードでは、澱粉分解酵素が最も有効に働く温度である６０℃に設定されており、１５分〜２０分の間、内鍋１０内の温度を６０℃に保つ。この実施の形態では、予熱運転モードの目標温度を６０℃としたが、これに限らず、目標温度は諸条件に応じて適宜設定すればよい。
【００４３】
〔立ち上げ運転モード〕
次に、攪拌モータ１７の運転を停止して攪拌翼４０を止めた後、誘導コイル用インバータ回路３５から誘導コイル３１に大電力を供給して、誘導コイル３１により内鍋１０を誘導加熱すると共に、横ヒータ用回路３６,蓋ヒータ用回路３７を制御して、横ヒータ３２,蓋ヒータ３９により内鍋１０を側方と上側から加熱し、内鍋１０内の温度を１００℃に立ち上げる立ち上げ運転を行う。ここで、内鍋１０内の温度は、底温度センサ３３と蓋温度センサ３４により検出する。
【００４４】
〔炊き上げ運転モード〕
次に、内鍋１０内の温度が１００℃に達してから内鍋１０内の温度が１２０℃になるまで、誘導コイル３１と横ヒータ３２および蓋ヒータ３９による加熱量を調整して沸騰を維持した炊き上げ運転を行う。ここで、内鍋１０内の水が無くなって沸騰しなくなると、内鍋１０内の温度が１００℃から上昇し始める。
【００４５】
上記炊き上げ運転によって、米に熱と水が加わって米に含まれるβ澱粉がα澱粉へと変化する糊化という化学反応が起こり、美味しいご飯ができる。
【００４６】
〔蒸らし運転モード〕
そうして、内鍋１０内の温度が１２０℃に達すると、誘導コイル３１と横ヒータ３２および蓋ヒータ３９による加熱量を調整して蒸らし運転を所定時間行った後、加熱調理(炊飯)を終了して、保温運転モードに移る。
【００４７】
上記電気炊飯器によれば、炊飯器本体１の上部に開閉自在に取り付けられた蓋体２側の検知部としての１つのリードスイッチ２５によって、炊飯器本体１内に内鍋１０が収納された状態で蓋体２が閉じられているか否かを検知する。すなわち、内鍋１０が炊飯器本体１に収納されていない状態か、または、蓋体２が開いている状態の少なくとも一方である場合、炊飯器本体１内に内鍋１０が収納された状態で蓋体２が閉じられていないとして、リードスイッチ２５はオフのままである。一方、内鍋１０が炊飯器本体１に収納された状態で、かつ、蓋体２が閉じられている状態である場合、炊飯器本体１内に内鍋１０が収納された状態で蓋体２が閉じられているとして、リードスイッチ２５は、内鍋把手１１の磁石５０の磁気によりオンする。これにより、炊飯器本体１内に内鍋１０が収容された状態で蓋体２が閉じられているか否かを簡単な構成で確実に検知することができる。したがって、１つのリードスイッチ２５で蓋体２の開閉と内鍋１０の有無を検知することができ、構成を簡略化してコストを低減できる。
【００４８】
また、蓋体２を閉じたとき、蓋体２に設けられたリードスイッチ２５により、内鍋１０に設けられた内鍋把手１１,１１の磁石５０の磁気を検出するので、リミットスイッチなどの可動部分を有する検知手段を用いることなく、リードスイッチ２５を容易に蓋体２側に密閉でき、熱や蒸気に対して信頼性の高いリードスイッチ２５により確実な検出が可能になる。
【００４９】
また、内鍋１０に取り付けられた内鍋把手１１,１１を磁石取付部として用いることによって、磁石５０を内鍋１０に容易に取り付けることができると共に、内鍋把手１１,１１が炊飯器本体１に設けられた位置決め部である凹部１２aに嵌合することにより、炊飯器本体１内に収納された内鍋１０が炊飯器本体１に対して位置決めされて、内鍋把手１１,１１の磁石５０がリードスイッチ２５で検知可能になるので、内鍋把手１１,１１の磁石５０と蓋体２側のリードスイッチ２５との位置合わせを確実に行うことができる。
【００５０】
また、加熱運転時に、リードスイッチ２５により炊飯器本体１内に内鍋１０が収納された状態で蓋体２が閉じられていないことを検知すると、制御部３０は加熱運転を停止するので、蓋体２が開いた状態での加熱運転や内鍋１０がない空焚き運転を確実に防止することができる。
【００５１】
なお、上記実施の形態では、検知部としてリードスイッチ２４を用いたが、検知部はこれに限らず、ホール素子などの磁気センサを用いてもよい。
【００５２】
また、検知部は磁気センサに限らず、蓋に設けられたリミットスイッチを検知部として用いてもよく、蓋を閉じたとき、蓋に設けられたリミットスイッチを作動させる作動部材が当接する被検知部の一例としての被当接部を内鍋に設けてもよい。これにより、内鍋に被当接部を簡単に設けることができ、簡単な構成で本体内に内鍋が収納された状態で蓋が閉じられているか否かを検知することができる。
【００５３】
また、上記実施の形態では、誘導コイル３１と横ヒータ３２および蓋ヒータ３９で内鍋１０全体を加熱する加熱部を構成したが、加熱部の構成はこれに限らず、例えば、誘導コイルの代わりに横ヒータなどと同様のヒータを用いてもよい。
【００５４】
この発明の具体的な実施の形態について説明したが、この発明は上記実施の形態に限定されるものではなく、この発明の範囲内で種々変更して実施することができる。
【符号の説明】
【００５５】
１…電気炊飯器本体
２…蓋体
２a…蒸気口
３…表示操作部
４…フックボタン
５…本体ハンドル
６…電源コード
７…コードリール
１０…内鍋
１０a…フランジ部
１０b…凸部
１１…内鍋把手
１２…外ケース
１２a…凹部
１３…内ケース
１４…電源部
１５…冷却ファン
１６…ロータ
１７…攪拌モータ
１８…磁石
２０…ヒンジ軸
２１…外蓋
２２…内蓋
２３…パッキン
２４…蒸気穴
２５…リードスイッチ
２６…スプリング
３０…制御部
３１…誘導コイル
３２…横ヒータ
３３…底温度センサ
３４…蓋温度センサ
３５…誘導コイル用インバータ回路
３６…横ヒータ用回路
３７…蓋ヒータ用回路
３８…フェライト部材
３９…蓋ヒータ
４０…攪拌翼
４１…ヨーク
４２…磁石
５０…磁石
【図１】
2011156023.tif 000003
【図２】
2011156023.tif 000004
【図３】
2011156023.tif 000005
【図４】
2011156023.tif 000006
【図５】
2011156023.tif 000007
【図６】
2011156023.tif 000008